(57)【要約】【課題】本発明は、被せ蓋の差し込み口に挿入された逆伸縮ストローを該差し込み口から容易に抜き出すことができる新規な被せ蓋を提供するものである。【解決手段】本発明の逆伸縮ストローの差し込み口を有する被せ蓋１は、その上面２に舌片状からなる逆伸縮ストローの差し込み口を形成する舌片状スリット３を形成し、上記舌片状スリット３の先端側に上記舌片状スリット３と繋がっている外向きに伸びる外向きスリット５を設けてあることを特徴とする。【選択図】図１
2010280419.tif 000002
【特許請求の範囲】
【請求項１】
被せ蓋であって、その上面に舌片状からなる逆伸縮ストローの差し込み口を形成する舌片状スリットを形成し、上記舌片状スリットの先端側に上記舌片状スリットと繋がっている外向きに伸びる外向きスリットを設けてあることを特徴とする差し込み口を有する被せ蓋。
【請求項２】
上記舌片状スリットが一部が繋がってない円形状又はＵ字状である上記請求項１に記載の被せ蓋。
【請求項３】
上記外向きに伸びる外向きスリットが１本又は２本の直線状のスリットである上記請求項１又は２に記載の被せ蓋。
【請求項４】
上記外向きに伸びる外向きスリットの長さが２〜４ｍｍである上記請求項１乃至３の何れかに記載の被せ蓋。
【請求項５】
上記舌片状スリットにより形成された舌片の先端側に上記舌片状スリットと繋がっている内向きに伸びる内向きスリットを設けてある上記請求項１乃至３の何れかに記載の被せ蓋。
【請求項６】
飲食品が充填密封された容器に、上記請求項１乃至５の何れかに記載の被せ蓋が被せられた飲食品包装体。
【発明の詳細な説明】
【技術分野】
【０００１】
本発明は、二重伸縮ストローであって、太い外側ストローの先端に斜め切り形成した差し込み先端を有し、細い内側ストローに基端飲み口を有する逆伸縮ストローが使用される飲料用容器の被せ蓋であって、上記逆伸縮ストローの差し込み口を有する被せ蓋に関する。
また、本発明は、当該被せ蓋を利用した飲食品包装体に関する。
【背景技術】
【０００２】
上記逆伸縮ストローは公知である（例えば特許文献１）。
上記逆伸縮ストローは、近時、飲料用容器の内容物によって、飲用し易いという理由で使用され実用化されている。
この飲料用容器は、一般的に紙製容器又はプラスチック製容器に内容液が充填され、容器の開口をアルミニウム箔により密閉し、その上に被せ蓋が被せられ、この被せ蓋にストロー差し込み口が形成されている。このストロー差し込み口に上記逆伸縮ストローを差し込み、アルミニウム箔を突き抜いて、飲料用容器の内容物を飲用するようになっている。
【先行技術文献】
【特許文献】
【０００３】
【特許文献１】特開昭６２−１９２１２３号公報
【発明の概要】
【発明が解決しようとする課題】
【０００４】
上記被せ蓋に形成されたストロー差し込み口の形状は、円形状であってその一部に切り込みが形成されてない繋ぎ部があるものか、Ｕ字状をしたものである。
そのために逆伸縮ストローを差し込み口に突き刺して、容器内飲料を飲み干した後、逆伸縮ストローを抜き出そうとして、上向き矢印の方向に途中まで抜き出した状態は、図１０に示すようにストロー差し込み口を形成する舌片が容器内に折れ曲がり、その先端が太い外ストローと細い内ストローとの境界部分に係止する状況となる。
その結果、容器内飲料を飲み終えた後、逆伸縮ストローを被せ蓋と分別廃棄するため、容器から抜き取ろうとすると上記係止部によってストローが係止し、抜き出せないという課題がある。また、強引に逆伸縮ストローを抜き取ろうとすると、抜き出た際に逆伸縮ストローに付着した飲料が飛び散り、衣服を汚してしまうという課題もある。
【課題を解決するための手段】
【０００５】
上記課題を解決するために、本発明は、被せ蓋の差し込み口に挿入された逆伸縮ストローを該差し込み口から容易に抜き出すことができる新規な被せ蓋を提供するものである。
そのために、本発明の逆伸縮ストローの差し込み口を有する被せ蓋は、その上面に舌片状からなる逆伸縮ストローの差し込み口を形成する舌片状スリットを形成し、上記舌片状スリットの先端側に上記舌片状スリットと繋がっている外向きに伸びる外向きスリットを設けてあることを特徴とする。
【０００６】
上記舌片状スリットが一部が繋がってない円形状又はＵ字状である。
上記外向きに伸びる外向きスリットが１本又は２本の直線状スリットである。
上記外向きに伸びる外向きスリットの長さが２〜４ｍｍである。
上記舌片状スリットにより形成された舌片の先端側に上記舌片状スリットと繋がっている内向きに伸びる内向きスリットを設けてある。
【発明の効果】
【０００７】
本発明の逆伸縮ストローの差し込み口を有する被せ蓋は、その上面に舌片状からなる逆伸縮ストローの差し込み口を形成する舌片状スリットを形成し、上記舌片状スリットの先端側に上記舌片状スリットと繋がっている外向きに伸びる外向きスリットを設けてあることを特徴とするから、逆伸縮ストローを被せ蓋のストロー差し込み口から引き抜く際、逆伸縮ストローの細い内ストローと太い外ストローとの境界部分の段差部に舌片状のストロー差し込み口を形成する舌片の先端が係止しても、この舌片によって逆伸縮ストローが舌片の先方横方向即ち上記外向きに伸びる外向きスリットの方に押し動かされ、上記外向きに伸びる外向きスリットを押し開いてストロー差し込み口を大きく開放し、逆伸縮ストローの抜き出しを容易にすることができる効果がある。
また、逆伸縮ストローを容易に抜き出せるため、抜き出した際に逆伸縮ストローに付着した飲料が飛び散ることがなく、衣服を汚してしまうというおそれも全くない。
【図面の簡単な説明】
【０００８】
【図１】本発明の実施例１に係る被せ蓋の斜視図である。
【図２】本発明の実施例１に係る被せ蓋の平面図である。
【図３】本発明の実施例１の逆伸縮ストローの差し込み口を形成する舌片状スリットの平面図である。
【図４】本発明の実施例２の逆伸縮ストローの差し込み口を形成する舌片状スリットの平面図である。
【図５】本発明の実施例３の逆伸縮ストローの差し込み口を形成する舌片状スリットの平面図である。
【図６】本発明の実施例４の逆伸縮ストローの差し込み口を形成する舌片状スリットの平面図である。
【図７】本発明の実施例５の逆伸縮ストローの差し込み口を形成する舌片状スリットの平面図である。
【図８】本発明の実施例６の逆伸縮ストローの差し込み口を形成する舌片状スリットの平面図である。
【図９】逆伸縮ストローの正面図である。
【図１０】逆伸縮ストローを容器の蓋の差し込み口に差し込んで途中まで引き上げた状態の正面図である。
【発明を実施するための形態】
【０００９】
以下、本発明の実施の形態について、詳細に説明する。
図１及び図２に本発明の逆伸縮ストローの差し込み口を有する被せ蓋を示してある。図中１がこの被せ蓋で、その上面２の適当な位置に、逆伸縮ストローの差し込み口を形成する舌片状スリット３を形成してある。この舌片状スリット３により形成される舌片４の基本部分は、スリットが繋がらない部分で、逆伸縮ストローが差し込まれた際に基本部分で折れ曲がり、舌片４が下向きに押し込まれる。この舌片状スリット３の先端側に舌片状スリット３と繋がっている外向きに伸びる外向きスリット５を形成してある。
【００１０】
図９に逆伸縮ストローを示してあり、図１０に逆伸縮ストローを被せ蓋１の上面２の差し込み口に差し込んだ状態を示してある。
逆伸縮ストローは太い外ストロー２０と、細い内ストロー２１とからなり、外ストロー２０の先端に差し込み用の斜めに切除した尖鋭部２２を設け、外ストロー２０の基端に絞り込み部２３を有する。内ストロー２１の先端には、上記外ストロー２０の絞り込み部２３と緊密に密着する拡径部２４を有し、基端を飲み口部２５としてある。
【００１１】
この逆伸縮ストローを引き伸ばして外ストロー２０の絞り込み部２３と内ストロー２１の拡径部２４とを緊密に密着させ、被せ蓋１の上面２の差し込み口に突き刺して容器内飲料を飲み干し、この逆伸縮ストローを引き抜くため、図１０の矢印方向に逆伸縮ストローを引き上げると、被せ蓋１の上面２に形成した舌片４が外ストロー２０と内ストロー２１の境界の段差部２６に係止して抜け出せない。このような状況であっても逆伸縮ストローの引き抜きを容易にしたのが本発明の被せ蓋である。
【実施例１】
【００１２】
図１乃至図３に本発明の実施例１を示してある。この実施例１では、被せ蓋１の上面２に形成する差し込み口のための舌片状スリット３を、円形状にして円形状の舌片４を形成する。この円形状の舌片４の基本部分はスリットが繋がらない部分としてある。
この実施例１では、上記円形状の舌片状スリット３の先端側、即ちスリットが繋がっていない基本部分の反対側に、該舌片状スリット３と繋がっている外向きに伸びる１本の外向きスリット５を形成してある。この１本の外向きスリット５は直線状であって、その長さは２〜４ｍｍである。
【実施例２】
【００１３】
図４に本発明の実施例２を示してある。この実施例２では、実施例１と同様に被せ蓋１の上面２に形成する差し込み口のための舌片状スリット３を、円形状にして円形状の舌片４を形成する。この円形状の舌片４の基本部分はスリットが繋がらない部分としてある。
この実施例２では、上記舌片状スリット３の先端側、即ちスリットが繋がっていない基本部分の反対側に、該舌片状スリット３と繋がっている外向きに伸びる２本の外向きスリット５を形成してある。この２本の外向きスリット５は直線状であって、その長さは２〜４ｍｍである。
【実施例３】
【００１４】
図５に本発明の実施例３を示してある。この実施例３では、被せ蓋１の上面２に形成する差し込み口のための舌片状スリット３を、Ｕ形状にしてＵ字状の舌片４を形成する。このＵ字状の舌片４の基本部分はスリットが繋がらない部分としてある。
この実施例３では、上記Ｕ字状の舌片状スリット３の先端側、即ちスリットが繋がっていない基本部分の反対側に、Ｕ字状の舌片状スリット３と繋がっている外向きに伸びる１本の外向きスリット５を形成してある。この１本の外向きスリット５は直線状であって、その長さは２〜４ｍｍである。
【実施例４】
【００１５】
図６に本発明の実施例４を示してある。この実施例４では、実施例３と同様に被せ蓋１の上面２に形成する差し込み口のための舌片状スリット３を、Ｕ字状にしてＵ字状の舌片４を形成する。このＵ字状の舌片４の基本部分はスリットが繋がらない部分としてある。
この実施例４では、上記Ｕ字状の舌片状スリット３の先端側、即ちスリットが繋がっていない基本部分の反対側に、該Ｕ字状の舌片状スリット３と繋がっている外向きに伸びる２本の外向きスリット５を形成してある。この２本の外向きスリット５は直線状であって、その長さは２〜４ｍｍである。
【実施例５】
【００１６】
図７に本発明の実施例５を示してある。この実施例５は、基本的に実施例１と同様で、この実施例１に、舌片４の先端に舌片状スリット３に繋がる内向きに伸びる内向きスリット６を形成してある。この内向きスリット６は直線状であって、その長さは１〜２ｍｍである。
【実施例６】
【００１７】
図８に本発明の実施例６を示してある。この実施例６は、基本的に実施例３と同様で、この実施例３に、舌片４の先端に舌片状スリット３に繋がる内向きに伸びる内向きスリット６を形成してある。この内向きスリット６は直線状であって、その長さは１〜２ｍｍである。
【００１８】
上記それぞれの実施例では、被せ蓋１の上面２に舌片状からなる逆伸縮ストローの差し込み口を形成する舌片状スリット３を形成し、この舌片状スリット３の先端側にこの舌片状スリット３と繋がる外向きに伸びる外向きスリット５を形成してあるから、図１０に示すように逆伸縮ストローを被せ蓋１のストロー差し込み口から引き抜く際、逆伸縮ストローの細い内ストロー２１と太い外ストロー２０との境界部分の段差部２６に舌片状のストロー差し込み口を形成する舌片４の先端が係止しても、この舌片４によって逆伸縮ストローが舌片４の先方横方向即ち外向きに伸びる外向きスリット５の方向である図１０の右方向に動かされ、上記外向きに伸びる外向きスリット５を押し開いてストロー差し込み口を大きく開放し、逆伸縮ストローの抜き出しを容易にするのである。
【符号の説明】
【００１９】
１    被せ蓋
２    上面
３    舌片状スリット
４    舌片
５    外向きスリット
６    内向きスリット
２０    外ストロー
２１    内ストロー
２２    尖鋭部
２３    絞り込み部
２４    拡径部
２５    飲み口部
２６    段差部
【図１】
2010280419.tif 000003
【図２】
2010280419.tif 000004
【図３】
2010280419.tif 000005
【図４】
2010280419.tif 000006
【図５】
2010280419.tif 000007
【図６】
2010280419.tif 000008
【図７】
2010280419.tif 000009
【図８】
2010280419.tif 000010
【図９】
2010280419.tif 000011
【図１０】
2010280419.tif 000012